(57)【要約】【課題】          無停電電源装置の保守を保守用バイパス回路に切り換えて、負荷給電継続状態で行う方法において、保守用バイパス回路に切り換えた後も、制御回路が充電回路に接続されているため、充電回路中に保守できない部品が存在し、これら部品の保守の必要性が生じたときには負荷給電を停止せざるを得ない課題があった。【解決手段】        保守用バイパス回路２１から負荷への負荷給電継続中において、制御回路（５）への制御回路スイッチ１６を開くことによって制御回路（５）への給電をストップし、負荷への給電を継続した状態で、制御回路電気品に対する保守作業を可能にした無停電電源保守装置制御回路保守方法とその装置。【選択図】          図１
2007166724.tif 000002
【特許請求の範囲】
【請求項１】
順・逆両変換器と直流入力とから成りその直流入力を所要の定電圧・定周波数の交流に変換出力する電力変換回路と、交流電源から負荷へ至る直送回路とを有して成る無停電電源回路に、保守用バイパス回路を設けて、無停電電源回路の点検保守作業中においても保守用バイパス回路から負荷への給電を可能とした無停電電源装置保守回路において、保守用バイパス回路による負荷への給電を継続した状態で装置の制御回路電源を停止し制御回路を構成する電気部品に対する保守作業を可能にした無停電電源装置制御回路保守方法。
【請求項２】
請求項１に記載の無停電電源装置制御回路保守方法において、保守用バイパス回路から負荷への給電がなされる場合に限り、制御回路電源を停止可能にしてなる無停電電源装置制御回路保守方法。
【請求項３】
請求項１又は２に記載の無停電電源装置制御回路保守方法において、保守用バイパス回路から負荷への給電がなされると同時に制御回路電源を停止するようにしてなる無停電電源装置制御回路保守方法。
【請求項４】
順・逆両変換器と直流入力とから成りその直流入力を所要の定電圧・定周波数の交流に変換出力する電力変換回路と、当該変換回路の出力を開閉する変換回路スイッチ１４と交流電源から負荷へ至る直送回路の開閉を行う直送回路スイッチ３１とを有して成る無停電電源回路１０を設けると共に、当該無停電電源回路１０に交流電源から負荷に至る保守用バイパス回路２１を設け、前記変換回路スイッチ及び直送経路スイッチを開成した無停電電源回路１０の点検保守作業中においても負荷への給電を可能とした無停電電源装置保守用回路において、保守用バイパス回路による負荷への給電回路に装置の制御回路の電源を停止する制御回路電源スイッチを設け、負荷への給電を継続した状態で装置の制御回路電源を停止し制御回路を構成する電気部品に対する保守作業を可能にした無停電電源装置制御回路保守装置。
【請求項５】
請求項４に記載の無停電電源装置制御回路保守装置において、保守用バイパス回路から負荷への給電スイッチが閉成するのに伴って、制御回路電源スイッチを開成可能にロック解除するように構成してなる無停電電源装置制御回路保守装置。
【請求項６】
請求項４又は５に記載の無停電電源装置制御回路保守方法において、保守用バイパス回路から負荷への給電がなされると同時に制御回路電源スイッチを開成するように構成してなる無停電電源装置制御回路保守装置。
【発明の詳細な説明】
【技術分野】
【０００１】
本発明は、商用電源等の交流電源又はこの交流電源に対するバックアップ用バッテリおよび交流電源からの電力供給を受けてその負荷に所定の交流電力を給電する無停電電源装置において、電力回路を保守用バイパス回路に切り換えた後の負荷給電の継続状態において、制御回路が充電状態のため保守できない制御回路部品の保守・点検を可能にする無停電電源装置制御回路の保守方法とその装置に関する。
【背景技術】
【０００２】
一般に、無停電電源装置において点検或いは交換等の保守の対象をなすものとして、電解コンデンサー，基板バッテリ或いは継電器等があり、何れも所定サイクルでの保守を必要とするものである。これらを対象とする従来の保守方法としては、特許文献１に記載のように、負荷給電停止状態で行う方法と、保守用バイパス回路に切り換えて負荷給電継続状態で電力回路のみ停電して行う方法とが知られている。
【特許文献１】特開平８−８４４４４号公報
【発明の開示】
【発明が解決しようとする課題】
【０００３】
負荷給電停止状態で行う方法では、無停電電源装置が作動しないのであるから論外であるが、負荷給電継続状態で行う方法においても、保守用バイパス回路に切り換えた後も制御回路は充電回路に接続されているため、充電回路中に保守できない部品があり、これら部品の保守の必要性が生じたときには負荷給電を停止せざるを得ない課題があった。
【課題を解決するための手段】
【０００４】
そこで本発明は、順・逆両変換器と直流入力とから成りその直流入力を所要の定電圧・定周波数の交流に変換出力する電力変換回路と、交流電源から負荷へ至る直送回路とを有して成る無停電電源回路に、保守用バイパス回路を設けて、無停電電源回路の点検保守作業中においても保守用バイパス回路から負荷への給電を可能とした無停電電源装置保守回路において、保守用バイパス回路による負荷への給電を継続した状態で装置の制御回路電源を停止し制御回路を構成する電気部品に対する保守作業を可能にした無停電電源装置制御回路保守方法とその装置を提供しようとするものである。
【０００５】
また、本発明は、上記の無停電電源装置制御回路保守方法とその装置において、無停電電源回路の保守バイパス回路から負荷への給電がなされる場合に限り、制御回路電源を停止可能にしてなる無停電電源装置制御回路保守方法とその装置を提供しようとするものである。
【０００６】
また、本発明は、上記の無停電電源装置制御回路保守方法とその装置において、無停電電源回路の保守バイパス回路から負荷への給電がなされると同時に制御回路電源を停止するようにしてなる無停電電源装置制御回路保守方法とその装置を提供しようとするものである。
【発明の効果】
【０００７】
本発明に係る無停電電源装置制御回路保守方法とその装置によれば、順・逆両変換器と直流入力とから成りその直流入力を所要の定電圧・定周波数の交流に変換出力する電力変換回路と、交流電源から負荷へ至る直送回路とを有して成る無停電電源回路に、保守用バイパス回路を設けて、無停電電源回路の点検保守作業中においても保守用バイパス回路から負荷への給電を可能とした無停電電源装置保守回路において、保守用バイパス回路による負荷への給電を継続した状態で装置の制御回路電源を停止し制御回路を構成する電気部品に対する保守作業を可能にした構成を有することにより、制御回路中の電気部品の保守・点検が必要となっても無停電電源装置全体を停電する必要が無く、負荷への給電を停止することなく制御回路電源を停止することができ、制御回路中の電気部品の保守・点検作業を容易に行うことができる効果がある。
【０００８】
また、本発明によれば、上記の無停電電源装置制御回路保守方法とその装置において、無停電電源回路の保守バイパス回路から負荷への給電がなされる場合に限り、制御回路電源を停止可能にしてなる構成を有するから、常時は無停電電源回路の保守バイパス回路が閉じている状態で制御回路電源は停止することなく安全が保たれており、制御回路中の電気部品を修理するときに限り、制御回路電源を停止可能にして制御回路の補修の安全を確保する効果がある。
また、本発明は、上記の無停電電源装置制御回路保守方法とその装置において、無停電電源回路の保守バイパス回路から負荷への給電がなされると同時に制御回路電源を停止するようにしてなる構成を有するから、制御回路中の電気部品を修理するため保守回路から負荷への給電を開始すると同時に、制御回路電源を自動的に停止して制御回路の補修の安全を確保する効果がある。
【発明を実施するための最良の形態】
【０００９】
［実施例１］
本発明に係る無停電電源回路１０は、図１の実施例において、（１）の交流入力回路では、交流を整流装置（AD/DC変換器）１１で整流し、その出力電圧を受けてこれをインバータ（DC/AD変換器）１２によって所定の交流電源に変換して、変換回路スイッチ１４及び無停電電源スイッチ１５を経て交流出力（４）から負荷に給電するように構成してある。（２）のバッテリからの直流入力回路では、直流は、前記インバータ１２と前記整流装置１１間の直流中間母線１３に接続されている。無停電電源回路１０は、これら（１）（２）を主回路構成要素として構成されており、通常は（１）の交流入力が整流装置１１及びインバータ１２を介して負荷への給電がなされており、（１）の交流入力が遮断されたときに、（２）のバッテリからの直流入力が直流中間母線１３からインバータ１２に供給されて、交流に変換されて負荷への給電が継続されるように構成してある。
以上の通り、本発明に係る無停電電源回路１０は、図１の実施例において、通常時は（１）の交流入力→ＡＣ／ＤＣ変換器１１→ＤＣ／ＡＣ変換器１２→スイッチ１４→スイッチ１５→交流出力（４）から負荷へという回路で給電されている。
【００１０】
この無停電電源回路１０のバックアップ回路として、（１）の交流入力遮断時には、自動の変換回路スイッチ１４および直送回路スイッチ３１の開閉を制御し瞬時の停電もすることなく（３）の交流入力の直送回路２０へ切り換わるように構成してある。
なお、（１）および（３）の交流入力遮断時には、（２）の直流電源へ同様に無停電で切り換わるように構成してある。
そして、これらのバックアップ回路への切り換えおよび復旧を制御回路（５）により自動で行うように構成してある。
【００１１】
一方、これらの無停電電源回路１０の点検・保守を行う際には、手動操作にて直送の保守用バイパス回路２１への切り換えを経て、保守用バイパス回路スイッチ３２を閉じ、無停電で保守用バイパス回路２１へ切り換えたのち、無停電電源スイッチ１５を開いて交流入力（１）及び直流入力（２）を遮断し、直送回路スイッチ３０を開いて直送回路２０を閉じ、装置を停電状態として作業を行えるように構成してある。
本発明に係る無停電電源装置制御回路は、保守用バイパス回路２１の負荷への給電を行う交流出力（４）への給電回路中に、制御回路（５）の電源を停止する制御回路電源スイッチ１６を設けることにより、制御回路（５）の停止を制御回路スイッチ１６により行い、制御回路を停電することができから、交流出力（４）による負荷への給電を停止することなく、停電状態の制御回路中の電気部品の保守・点検が行えるよう構成してある。
【００１２】
［実施例２］
以上の通り、保守用バイパス回路２１にて負荷給電中は制御回路（５）は何ら制御動作を行っていないため、停電が可能となっている。従って、保守用バイパス回路２１により負荷給電をしない状態、即ち、無停電電源回路１０による給電中は、制御回路（５）の制御回路スイッチ１６は常時閉じていなければならないから、制御回路（５）の制御動作を行っている状態では、制御回路スイッチ１６による停電は不可能になっている必要がある。
このことは、図１の実施例において、保守用バイパス回路スイッチ３２を閉じ、保守用バイパス回路２１へ切り変えた後、初めて制御回路スイッチ１６を開成して制御回路（５）を停電するように構成することが必要である。
【００１３】
そこで、本発明の実施例２では、図では省略したが、制御回路スイッチ１６にロック装置を設け、保守用バイパス回路スイッチ３２を閉じて保守用バイパス回路２１へ切り変えた後、又は切り換えると同時に、初めて前記ロック装置が解除されて、制御回路スイッチ１６を開くことができるように構成してある。
ロック装置としては、例えば、制御回路スイッチ１６が手動スイッチの場合は、従来公知の機械的なキー操作によるロック解除方法や、電磁弁を利用したロック解除手段等、種々の安全確保装置を利用することができ、また、従来公知の電気回路的なロック解除手段を利用することが可能である。
【００１４】
［実施例３］
また、本発明の実施例３では、制御回路スイッチ１６を、保守用バイパス回路スイッチ３２と連動するリレースイッチとして構成し、バイパス回路スイッチ３２を閉じると同時に制御回路スイッチ１６が開くように構成してあり、保守用バイパス回路から負荷への給電がなされると同時に制御回路電源を停止するように構成してある。
【図面の簡単な説明】
【００１５】
【図１】本発明方法の一実施例の要部を概略して示す概略回路説明図。
【符号の説明】
【００１６】
（１）  交流入力
（２）  直流入力
（３）  交流直送入力
（４）  交流出力
（５）  制御回路
１０    無停電電源回路
１１    整流装置（ＡＣ／ＤＣ変換器）
１２    インバータ（ＤＣ／ＡＣ変換器）
１３    直流中間母線
１４    変換回路自動スイッチ
１５    無停電電源スイッチ
１６    制御回路電源スイッチ
２０    直送回路
２１    保守用バイパス回路
３０    直送回路手動スイッチ
３１    直送回路自動スイッチ
３２    保守用バイパス回路スイッチ
【図１】
2007166724.tif 000003